(57)【要約】      （修正有）【課題】生け花をしていない不使用時に内部へ雨水やゴミなどが入り込まないようにした墓用花立及び水鉢と一体にした墓用水鉢・花立セットを提供する。【解決手段】花立筒を落し込む所定深さの落し込み穴２５を立設した状態の頂部に穿設された花立台２４と、この落し込み穴内に花立筒３１が差込んだ状態で落し込み穴２５及び花立筒３１の開口を被う蓋体２７とを備え、花立台に落し込み穴２５及び花立筒の開口を被って塞ぎ又は開放する移動自在な連結部材で結合されている。【選択図】図２
0003166281.tif 000002
【実用新案登録請求の範囲】
【請求項１】
花立筒を落し込む所定深さの落し込み穴を立設した状態の頂部に穿設した花立台と、前記落し込み穴内に前記花立筒を差込んだ状態で前記落し込み穴及び花立筒の開口を被って塞ぐ蓋体とを有する墓用花立において、
前記蓋体は、前記花立台に前記落し込み穴及び前記花立筒の開口を被って塞ぎ又は開放する移動自在な連結部材で結合されていることを特徴とする墓用花立。
【請求項２】
前記蓋体は、前記花立台の前記落し込み穴に前記花立筒を落し込んだ状態で前記頂部から露出する部分を全部呑込み又は一部を呑込む深さの凹み穴が設けられており、前記凹み穴の周辺部に前記連結部材が結合されていることを特徴とする請求項１に記載の墓用花立。
【請求項３】
前記凹み穴の周辺部は、その一部に外方へ突出した突出部が設けられており、前記突出部に前記連結部材が結合されていることを特徴とする請求項２に記載の墓用花立。
【請求項４】
前記蓋体は、平面視で円形又は矩形状をなし、前記花立石と同質の石材で形成されていることを特徴とする請求項１〜３のいずれかに記載の墓用花立。
【請求項５】
前記花立台は、前記落し込み穴に前記連結部材が設けてあることを特徴とする請求項１に記載の墓用花立。
【請求項６】
前記連結部材は、屈曲可能な紐状部材であることを特徴とする請求項５に記載の墓用花立。
【請求項７】
前記連結部材は、前記花立石に上下動及び回転自在な棒状体からなるスライド棒からなり、前記花立石は、前記頂部から底部へ向かって所定深さ掘り下げた垂直孔を設けてあり、前記垂直孔に前記スライド棒が上下動及び回転自在に装着されていることを特徴する請求項１に記載の墓用花立。
【請求項８】
前記スライド棒は、鎖錠手段が設けられていることを特徴とする請求項７に記載の墓用花立。
【請求項９】
請求項１〜８のいずれかの墓用花立が水鉢に一体に結合されていることを特徴とする墓用水鉢・花立セット。
【請求項１０】
前記水鉢は、内部にローソク立て、線香立などを設置できる設置室が設けられていることを特徴とする請求項９に記載の墓用水鉢・花立セット。
【請求項１１】
前記収容室は、正面に扉が設けられていることを特徴とする請求項１０に記載の墓用水鉢・花立セット。
【考案の詳細な説明】
【技術分野】
【０００１】
本考案は、墓用花立及び水鉢・花立セットに係り、さらに詳しくは、生け花をしていない不使用時に内部へ雨水やゴミなどが入り込まないようにした墓用花立及び水鉢と一体にした墓用水鉢・花立セットに関するものである。
【背景技術】
【０００２】
お墓は、宗派、地方や慣習などの違いにより多種多様なものが存在するが、一般的な和式のお墓は、所定大きさの墓地に墓石（石塔）及びカロート（納骨室）を中心にして、その周辺に様々な墓飾品を配設したものとなっている。墓飾品には、花立、水鉢、香炉、拝石、灯篭、墓誌などがあり、これらの墓飾品は墓地の広さや予算などに応じてその幾つかが配設されている。また、日本では古くからの慣行として、主に、お盆、お彼岸や命日などに墓参りが行われており、その際に、線香、ローソク、ローソク立て、水桶や杓子などの墓参用具の他に、お酒、ビール、お餅やお団子などの飲食類及びお花などが持参されている。お花は、概ね季節の花となるが、持参されたお花は墓前の花立に生けられる。しかしながら、生けられた花は、時間が経つと萎れて枯れやがて腐るので、通常、墓参後は花立から引抜かれている。ところが、花が引抜かれた花立はそのままの状態で放置されると、その中に雨水や枯れ葉などが入り込んでしまい水などが溜まると、内部に苔、藻、ボウフラなどが湧き、また、水や枯れ葉が腐って悪臭が発生し、さらに、汚水が溢れ出て花立石や墓石を汚して、それらの光沢（艶）を喪失させ、さらにまた冬季には凍結して花立を壊してしまうことがある。そこで、このような悪臭の発生や破損などを防止するために、花立に、雨水や枯れ葉などが入り込まないように工夫した花立が提案されている。
【０００３】
図１６の墓用花立は、下記特許文献１に記載されたものである。なお、図１６はこの特許文献に記載された墓用花立の分解斜視図である。この墓用花立４０は、本体部４１と、この本体部に被せる蓋部４２とを備え、本体部４１は花立筒４３の下部を落し込む落し込み穴４１ａを有し、蓋部４２は、その裏面に、花立筒４３を本体部の落し込み穴に装着したままの状態でこの花立筒４３の上部を呑込む凹部４２ａを設けたもので構成されている。この構成の花立は、花立筒を使用しないときに、花立筒を取外さなくても、墓石と調和し、見栄えがよく、花立筒及び落し込み用穴内に雨水が溜まるのを防止できる。
【０００４】
また、このような本体部を備え、本体部の落し込み穴口を蓋体で被うようにした花立が下記特許文献２に記載されている。さらに、このような本体部の落し込み穴口を覆うのでなく、この落し込み穴に落し込む花立筒の開口を開閉自在な蓋で被うようにした花立が下記特許文献３、４にそれぞれ記載されている。なお、これらの特許文献３、４の花立は、花立筒と蓋とが蝶番で連結され、後者のものはさらに連結紐（金属製チェーン）で結合されている。
【先行技術文献】
【特許文献】
【０００５】
【特許文献１】実用新案登録第３１３１６８４号公報（段落〔００１１〕、図１）
【特許文献２】実用新案登録第３１２７１５１号公報（段落〔０００９〕〜〔００１２〕、図１、図２）
【特許文献３】実用新案登録第３１３４８７５号公報（段落〔００１１〕〜〔００１６〕、図１）
【特許文献４】実用新案登録第３１５６７１３号公報（段落〔００１３〕〜〔００１５〕、図２）
【考案の概要】
【考案が解決しようとする課題】
【０００６】
上記特許文献１〜４の花立或いは花立筒は、いずれも開口を被い塞ぐ蓋が設けられているので、落し込み穴や花立筒の内部に雨水や枯れ葉などが入り込むのを防止できる。しかしながら、上記特許文献１、２のものは、本体部に蓋が繋がれていないので、蓋が本体部から簡単に外れて紛失或いは破損し、さらに持ち去られることがある。この蓋が破損、紛失（盗難）すると、通常、この蓋は、本体部や墓飾品、例えば、水鉢、ローソク立てなどと同じ材質の石材で作製されて、これらのものと調和し、見栄えがよくなるようにしてあるので、紛失や破損したものと同じものを揃えるのが極めて難しく、時代ものとなると殆ど不可能になる。なお、上記特許文献２のものは、蓋で落し込み穴を被う際に花立筒を別の場所に保管する必要があり、また、蓋の合わせ目を伝わって雨水が入る恐れがある。
【０００７】
また、上記特許文献３、４のものは、花立筒に蓋が金具や連結紐（金属製チェーン）で結合されているが、この花立筒は、上記特許文献１のように全体がカバー体などで被われるものでなく、外部へ露出しているので、常時、風雨などに晒されてしまい、その結果、変色しまた寿命も短くなる。そうかと言って、上記特許文献１の花立に、金具を設けることができず、また、連結紐（金属製チェーン）を設けるとこれが外部へ露出してしまい、変色しまた寿命が短くなる共にデザイン性に欠けたものとなる。
【０００８】
そこで、本考案は、このような従来技術が抱える課題を解決するためになされたもので、本考案の目的は、蓋体が花立台から外れないようにして、花立筒に生け花ができる一方で生け花をしていない不使用時に、花立筒及び落し込み穴へ雨水やゴミなどが入り込まないようにした墓用花立を提供することにある。
【０００９】
また、本考案の他の目的は、蓋体と花立台とを連結する連結部材が外部へ露出しないようにして、見栄えをよくし、その腐食などを防止した墓用花立を提供することにある。
【００１０】
さらに、本考案のまた他の目的は、上記目的を有し、水鉢と一体にした墓用水鉢・花立セットを提供することにある。
【課題を解決するための手段】
【００１１】
上記課題を解決するために、本考案の第１の態様の墓用花立は、花立筒を落し込む所定深さの落し込み穴を立設した状態の頂部に穿設した花立台と、前記落し込み穴内に前記花立筒を差込んだ状態で前記落し込み穴及び花立筒の開口を被って塞ぐ蓋体とを有する墓用花立において、前記蓋体は、前記花立台に前記落し込み穴及び前記花立筒の開口を被って塞ぎ又は開放する移動自在な連結部材で結合されていることを特徴とする。
【００１２】
また、第２の態様の墓用花立は、前記第１の態様の墓用花立において、前記蓋体は、前記花立台の前記落し込み穴に前記花立筒を落し込んだ状態で前記頂部から露出する部分を全部呑込み又は一部を呑込む深さの凹み穴が設けられており、前記凹み穴の周辺部に前記連結部材が結合されていることを特徴とする。
【００１３】
また、第３の態様の墓用花立は、前記第２の態様の墓用花立において、前記凹み穴の周辺部は、その一部に外方へ突出した突出部が設けられており、前記突出部に前記連結部材が結合されていることを特徴とする。
【００１４】
また、第４の態様の墓用花立は、前記第１〜３のいずれかの態様の墓用花立において、前記蓋体は、平面視で円形又は矩形状をなし、前記花立石と同質の石材で形成されていることを特徴とする。
【００１５】
また、第５の態様の墓用花立は、前記第１の態様の墓用花立において、前記花立台は、前記落し込み穴に前記連結部材が設けてあることを特徴とする。
【００１６】
また、第６の態様の墓用花立は、前記第５の態様の墓用花立において、前記連結部材は、屈曲可能な紐状部材であることを特徴とする。
【００１７】
また、第７の態様の墓用花立は、前記第１の態様の墓用花立において、前記連結部材は、前記花立石に上下動及び回転自在な棒状体からなるスライド棒からなり、前記花立石は、前記頂部から底部へ向かって所定深さ掘り下げた垂直孔を設けてあり、前記垂直孔に前記スライド棒が上下動及び回転自在に装着されていることを特徴する。
【００１８】
また、第８の態様の墓用花立は、前記第７の態様の墓用花立において、前記スライド棒は、鎖錠手段が設けられていることを特徴とする。
【００１９】
また、本考案の第９の態様の墓用水鉢・花立セットは、前記第１〜８のいずれかの態様の墓用花立が水鉢に一体に結合されていることを特徴とする。
【００２０】
また、第１０の態様の墓用水鉢・花立セットは、前記第９の態様の墓用水鉢・花立セットにおいて、前記水鉢は、内部にローソク立て、線香立などを設置できる設置室が設けられていることを特徴とする。
【００２１】
また、第１１の態様の墓用水鉢・花立セットは、前記第１０の態様の墓用水鉢・花立セットにおいて、前記収容室は、正面に扉が設けられていることを特徴とする。
【考案の効果】
【００２２】
本考案の第１の態様の墓用花立によれば、蓋体が花立台に連結部材で結合されているので、紛失（盗難）などを防止できる。また、生け花をしていない不使用時に、花立筒及び落し込み穴への雨水やゴミなどの侵入を防止できる。
【００２３】
また、第２の態様の墓用花立によれば、蓋体は、花立台の落し込み穴に花立筒を落し込んだ状態で頂部から露出する部分を全部呑込み又は一部を呑込む深さの凹み穴が設けてあるので、花立筒に生け花ができる一方で生け花をしていない不使用時に、花立筒及び落し込み穴への雨水やゴミなどの侵入を防止できる。
【００２４】
また、第３の態様の墓用花立によれば、連結部材の結合が簡単になる。
【００２５】
また、第４の態様の墓用花立によれば、蓋体は、平面視で円形又は矩形状をなし、花立石と同質の石材で形成したので、見栄えがよくデザイン性が向上する。
【００２６】
また、第５の態様の墓用花立によれば、落し込み穴を利用して、連結部材を装着できるので、連結部材の装着が簡単になる。
【００２７】
また、第６の態様の墓用花立によれば、単純な部材で連結部材を構成できる。
【００２８】
また、第７の態様の墓用花立によれば、花立石の加工が容易で、しかもスライド棒の装着も簡単になる。
【００２９】
また、第８の態様の墓用花立によれば、鎖錠手段により、盗難を防止できる。
【００３０】
また、第９の態様の墓用水鉢・花立セットによれば、コンパクトな墓用水鉢・花立セットを提供できる。
【００３１】
また、第１０の態様の墓用水鉢・花立セットによれば、スペースの有効利用を図って、設置室を設けることができる。
【００３２】
また、第１１の態様の墓用水鉢・花立セットによれば、ローソク立て、線香立などを風雨に曝さずに保管できる。
【図面の簡単な説明】
【００３３】
【図１】図１は本考案の実施形態１に係る墓用花立が設置されるお墓の概略斜視図である。
【図２】図２は図１の一方の墓用花立を示し、図２Ａは斜視図、図２Ｂは蓋体を持上げて状態の斜視図ある。
【図３】図３は図２の墓用花立を分解した分解斜視図である。
【図４】図４は図２の墓用花立の花石台を示し、図４Ａは斜視図、図４Ｂは図４ＡのIVＢ−IVＢの断面図、図４Ｃは図４ＡのIVＣ−IVＣ線の断面図である。
【図５】図５は図２の墓用花立の蓋体を示し、図５Ａは斜視図、図５Ｂは底面斜視図、図５Ｃは上面透視図、図５Ｄは側面透視図である。
【図６】図６Ａは図２ＡのVIＡ−VIＡ線の断面図、図６Ｂは図２ＢのVIＢ−VIＢ線の断面図である。
【図７】図７は本考案の実施形態２に係る一方の墓用花立の斜視図である。
【図８】図８は図７の墓用花立を分解した分解斜視図である。
【図９】図９は本考案の実施形態３に係る一方の墓用花立の斜視図である。
【図１０】図１０は図９の墓用花立を分解した分解斜視図である。
【図１１】図１１は本考案の実施形態４に係る墓用水鉢・花立セットの斜視図である。
【図１２】図１２は図１１の墓用水鉢・花立セットを分解した分解斜視図である。
【図１３】図１３は図１１の水鉢・花立セットの扉を開いた状態の斜視図である。
【図１４】図１４は本考案の実施形態５に係る墓用水鉢・花立セットの斜視図である。
【図１５】図１５は本考案の実施形態６に係る墓用水鉢・花立セットの斜視図である。
【図１６】図１６は従来技術の墓用花立の分解斜視図である。
【考案を実施するための形態】
【００３４】
以下、図面を参照して本考案の実施形態を説明する。但し、以下に示す実施形態は、本考案の技術思想を具体化するための墓用花立及び水鉢・花立セットを例示するものであって、本考案をこれに特定することを意図するものではなく、実用新案登録請求の範囲に含まれるその他の実施形態のものにも等しく適応し得るものである。なお、お墓は、宗派などの違いにより型式が異なり、例えば、「和式（仏式、和型）」、「洋式（洋型）」、「神式」、「五輪塔」や「地蔵墓」などがあるが、本実施形態では、一般的な「和式（仏式、和型）」のお墓に設置する墓用花立及び水鉢・花立セットを説明し、この墓用花立及び水鉢・花立セットに関する技術は、他の「洋式」などにも適用できるものである。また、お墓を構成する部位などの名称も統一されておらず、例えば地方などにもよって異なるので、一般的な通称を用いることとする。
【００３５】
［実施形態１］
まず、図１を参照して、本考案の実施形態１に係る墓用花立が設置されるお墓の全体構成を説明する。なお、図１は本考案の実施形態１に係る墓用花立が設置されるお墓の概略斜視図である。
【００３６】
本考案の実施形態１に係る墓用花立２３は、一般的な和型のお墓１０に設置するものとなっている。この一般的な和型のお墓１０は、図１に示すように、所定大きさの墓地を外柵１１で区画して仕切り、この外柵１１内に、カロート（納骨室）及びこの上に立設した墓石（石塔）１４を中心にして、その周辺に様々な墓飾品を配設したものとなっている。墓飾品は、故人の戒名、俗名や没日などを彫刻した墓誌１９、墓参りの際に手荷物などを置く物置台２０、お墓参りに必要なローソク、線香や水桶などの墓参用具を格納して置く墓参用具格納庫２１、水をお供えする水鉢２２、お花を生ける花立２３などがある。これらの墓飾品は、自然石を加工したもので形成されて、墓地の広さや予算などに応じて設置される。なお、このお墓には、実施形態１の墓用花立２３が設置されるが、他の実施形態に係る墓用花立も設置できるものとなっている。
【００３７】
カロート（納骨室）は、遺骨が納められるお墓の心臓部と言える場所にあって、墓石１４の下に位置している。このカロートは、その大きさや形状は墓地自体の形や広さによって様々なものがある。大きく分けると、地上式、半地下式、地下式に分けられ、それぞれ一段型や二段以上の型がある。この実施形態１では，いずれの型式でもよく、後述する地廻石１５を作るときに形成される。
【００３８】
外柵１１は、墓所との境をはっきりさせ且つ流水や地崩れなどを防止するもので、境界石、巻石、境石などとも呼ばれている。この外柵１１は、入口の正面に踏石１２ａ及び両側に門柱１３などが設置されている。
【００３９】
墓石（石塔）１４は、開眼供養の際に、僧侶によって魂が入れられるお墓の中心となるもので、所定大きさの地廻石１５の上に、順に下石台１６、上石台１７及び竿石１８を積み上げたものとなっている。
【００４０】
地廻石１５は、根石や芝台とも呼ばれており、カロートの外壁と下石台１６、上石台１７及び竿石１８を積層する際の土台となるもので、御影石やコンクリートで作られている。この地廻石１５は、水鉢２２や花立２３の置き台ともなっている。
【００４１】
下石台１６及び上石台１７は、竿石１８を立設する土石台となっており、下石台１６には、正面の表面に納骨室に連通する所定大きさの開口が形成されている。この開口は、通常、水鉢２２の壁面で覆われて、外部からは見えないようになっている。また上石台１７には、その正面に蓮華模様や家紋・家名などが刻まれる。なお、下石台１６の前には、所定大きさの拝所板石１２ｂが配設されている。
【００４２】
竿石１８は、棹石、佛石、軸石などとも呼ばれ、表面には、「お題目」、「先祖代々之墓」や「○○家之墓」などの文字が刻まれている。
【００４３】
水鉢２２は、水をお供えするもので、細長直方体形状の石材ブロックからなり、上面に所定量の水を貯水する窪み部が設けられている。
【００４４】
図２〜図６を参照して、図１の墓用花立を説明する。なお、図２は図１の一方の墓用花立を示し、図２Ａは斜視図、図２Ｂは蓋体を持上げた状態の斜視図、図３は図２の墓用花立を分解した分解斜視図、図４は図２の墓用花立の花石台を示し、図４Ａは斜視図、図４Ｂは図４ＡのIVＢ−IVＢの断面図、図４Ｃは図４ＡのIVＣ−IVＣ線の断面図、図５は図２の墓用花立の蓋体を示し、図５Ａは斜視図、図５Ｂは底面斜視図、図５Ｃは上面透視図、図５Ｄは側面透視図、図６Ａは図２ＡのVIＡ−VIＡ線の断面図、図６Ｂは図２ＢのVIＢ−VIＢ線の断面図である。
【００４５】
墓用花立（以下、花立という）は、図１に示すように、一対の花立２３からなり、これらの花立２３は、水鉢２２の両側に設置されて、同じ構造のものとなっているので、一方の花立を代表して説明する。
【００４６】
花立２３は、図２、図３示すように、花を生ける花立筒３１の底部が落し込まれる所定深さの落し込み穴２５が立設した状態の頂部２４ｆから底部に向かって穿設された花立台２４と、この落し込み穴内に花立筒３１を差込んだ状態で落し込み穴２５及び花立筒３１の開口を被い塞ぐ蓋体２７とを備え、蓋体２７は、花立台２４及び花立筒３１の開口を被い塞ぎ又は開放する移動自在な連結部材３２で結合されている。花立台２４及び蓋体２７は、同じ材質の石材で形成されている。以下、個々の部品を詳述する。
【００４７】
図４は花石台を示し、この花石台２４は、所定形状の底部２４ａと、この底部の周囲から所定高さ立設した４面の側壁４ｂ〜４ｅと、上端面の頂部２４ｆとを有する直方体ブロックからなり、石材で形成されている。底部２４ａ及び頂部２４ｆは、略同じ大きさであり、頂部２４ｆは落し込み穴２５を形成できる大きさになっている。４面の側壁４ｂ〜４ｅの高さは、任意の高さでよいが、この実施形態１では水鉢２２より若干高くしてある（図１参照）。４面の側壁４ｂ〜４ｅは、加工を施した化粧面で形成されている。底部２４は、四角形にしたが、その他の形状、例えば円形にしてもよい。底部を円形にすると、花立台は円柱状体となる。すなわち、花立台は、底部の形状によって、角柱状或いは円柱状、さらに他の柱状体となる。
【００４８】
この花石台２４は、図４Ｂに示すように、頂部２４ｆに該頂部２４ｆから底部２４ａへ向かって所定深さＨ１の落し込み穴２５が形成されている。この落し込み穴２５は、花立筒３１の鍔部まで落し込まれる大きさになっている。すなわち、この落し込み穴２５は、その直径Ｄ１が花立筒３１の幅長Ｗより若干長く、深さＨ１は高さＨ３と略同じになっている。落し込み穴２５は、底部にドレイン孔（図示省略）が形成されている。また、この花石台２４は、頂部２４ｆの一隅部に、該頂部２４ｆから底部２４ａへ向かって直方体ブロックを貫通する貫通孔２６が形成されている。この貫通孔２６は、図４Ｃに示すように、頂部２４ｆから底部２４ａの途中までの直径Ｄ２が小さい小径貫通孔２６１と、この小径貫通孔から直径Ｄ３を大きくした大径貫通孔２６２とかなり、この貫通孔２６に連結部材３２がスライド移動自在に挿通される。小径貫通孔２６１の直径Ｄ２は連結部材３２の棒状部３２ａがスライド移動できる大きさであり、また、大径貫通孔２６２の直径Ｄ３は抜け止め部材３３が上下動できる大きさにしてある。
【００４９】
図５は蓋体を示し、この蓋体２７は、所定形状の底部２７ａと、この底部から所定高さ立ち上がった側壁部２７ｂと、天井部２７ｃとを有し、花石台２４と同じ材質の石材で形成されている。底部２７ａは、円形又はこの円形の一部を外方へ突出させた形状をなし、花立台２４の頂部の落し込み穴２５の開口より大きくなっている。底部２７ａをこの形状にすることによって、全体の形状が円盤状になる。なお、蓋体２７は、この形状に限定されるものでなく、任意の形状、例えば、頂部と同じ形状或いはその他の形状にしてもよい。側壁部２７ｂは、立上げ部２７ｂ１及びテーパー部２７ｂ２とで形成されている。
【００５０】
この蓋体２７は、側壁部及び天井部が化粧加工されている。底部２７ａは、円形部に落し込み穴２５及び花立筒３１の開口を被って塞ぎ、しかも花立筒３１が花石台２４の頂部２４ｆから露出する部分を呑込む大きさの凹み穴２８が形成されている。すなわち、この凹み穴２８の直径Ｄ４は花立筒３１の開口径より若干長く、深さＬ３は花立筒３１が頂部２４ｆから露出した部分を呑込む長さになっている。また、この底部２７ａは、突出部２９に連結部材３２の一端が結合される結合穴３０が形成されている。
【００５１】
花立筒３１は、図３の分解図に示すように、落し込み穴２５に落し込む有底の筒部３１ａと、この筒部上方にあって外方へ若干広がった鍔部３１ｂと、上方の開口３１ｃとを有する筒状体からなり、ステンレス材或いはその他の材料で形成されている。すなわち、この花立筒３１は、その底部の直径をＷ及び高さをＨ３とし、鍔部３１ｂ上方の開口は、落し込み穴より若干大きくなっている。
【００５２】
連結部材３２は、図３の分解図に示すように、所定の長さＬの棒状体からなり、棒状部３２ａの一端（下端）３２ｂに抜け止め部材３３を取付け、他端（上端）３２ｃが蓋体２７との結合部となっている。この棒状体は所定太さの金属棒からなり、また、抜け止め部材３３は鎖錠手段となっている。
【００５３】
この花立２３の組立ては、まず、蓋体２７に連結部材３３を取付ける。この取付けは、連結部材３２の上端３２ｃを蓋体２７の結合穴３０に差込み接着剤などで固定する。次いで、蓋体２７に取付けた連結部材３３の下端３２ｂを花立石２４の頂部２４ｆの小径貫通孔２６１に差込み、大径貫通孔２６２まで下降させる。下降させた連結部材３２の下端３２ｂに抜け止め部材３３を固定して、組立てを完了する。
【００５４】
組み立てた花立２３は、図２、図６に示すように、蓋体２７を花立石２４の頂部２４ｆの上方へ上下動及び回転可能になる。花立筒３１は、蓋体２７を上方へ持上げて、左右いずれかの矢印方向へ回転させて、落し込み穴２５へ差込む。生け花は、差込んだ花立筒３１に生ける。また、生け花をしない時は、蓋体２７で花立筒３１の開口を被い塞ぐ。これにより、落し込み穴及び花立筒の開口が被われ塞ぐので、内部への雨水やゴミなどの侵入を防止できる。また、この花立は、花立石に連結部材で結合されているので、紛失や盗難を防止できる。さらに、蓋体と本体の花立台とを結合する連結部材が外部へ露出しないので、見栄えをよくし、腐食などを防止できる。この花立２３は、連結部材にスライド棒で構成したが、これに限定されず、他の部材でもよい。例えば、連結部材に屈曲可能な所定長さの紐状部材（例えば金属製チェーンなど）を用い、この部材の一端を落し込み穴内に結合し、他端を蓋体に結合する。この場合、落し込み穴を大きくする。
【００５５】
［実施形態２］
図７、図８を参照して、本考案の実施形態２に係る花立を説明する。なお、図７は本考案の実施形態２に係る花立の斜視図、図８は図７の花立を分解した分解斜視図である。
【００５６】
実施形態２に係る花立２３Ａは、実施形態１の花立２３に使用する花立筒３１が異なり、この花立筒の違いにより、花立石及び連結部材の一部が異なった構成となっている。そこで、両者に共通する構成には同一符号を付して重複説明を省略し、異なる構成を詳述する。
【００５７】
実施形態２に係る花立筒３１Ａは、図８に示すように、実施形態１の花立２３に使用する花立筒３１に比べて、首部が長く、すなわち、高さはＨ３'（Ｈ３<Ｈ３'）となっている。そのために、この花立筒３１Ａは、図７に示すように、花立石２４Ａの頂部２４ｆより首長にした分だけ突出し、蓋体２７はこの突出した上方の開口を被う。また、連結部材３２Ａは、この首長の花立筒３１Ａに適合するように長尺にしてある。さらに、花立石２４Ａは、落し込み穴が花立筒３１Ａを落し込める大きさにし、また、貫通孔はこの長尺の連結部材３２Ａを挿入できるようにされている。
【００５８】
［実施形態３］
次に、本考案の実施形態３に係る花立を説明する。なお、図９は本考案の実施形態３に係る花立の斜視図、図１０は図９の花立を分解した分解斜視図である。なお、両者に共通する構成には同一符号を付して重複説明を省略する。
【００５９】
実施形態３に係る花立２３Ｂは、蓋体２７が実施形態２の花立２３Ａの首長の花立筒３１Ａを被う大きさにしたものである。実施形態３の花立２３Ｂによれば、蓋体は、花立台の落し込み穴に花立筒を落し込んだ状態で頂部から露出する部分を全部呑込む深さの凹み穴が設けてあるので、花立筒に生け花ができる一方で生け花をしていない不使用時に、花立筒及び落し込み穴への雨水やゴミなどの侵入を防止できる。
【００６０】
［実施形態４］
上記の花立２３、２３Ａ及び２３Ｂは、水鉢２２の両サイドに配置するものとなっているが、これらの花立をこの水鉢と一体にして、水鉢・花立セットにしてもよい。以下、この水鉢・花立セットを説明する。なお、両者に共通する構成には同一符号を付して重複説明を省略する。
【００６１】
図１１〜図１３の水鉢・花立セット２３Ｃは、花立２３と水鉢２２とを一体にしたものである。なお、図１１は実施形態４に係る水鉢・花立セットの斜視図、図１２は図１１の水鉢・花立セットを分解した分解斜視図、図１３は図１１の水鉢・花立セットの扉を開いた状態の斜視図である。
【００６２】
水鉢・花立セット２３Ｃは、水鉢２２の両サイドにそれぞれ花立２３を一体にしたもので、所定の大きさを有する直方体石材ブロックを加工して作製されている。水鉢２２及び
花立２３は、実施形態１のものと同じ構成となっている。また、この水鉢・花立セット２３Ｃは、水鉢と花立とを一体にしたことから、水鉢及び両花立部分を有効利用して、内部に線香立及びロウソク立などを設置できる所定大きさの収容室を形成し、正面の開口に観音扉３４を設けるのが好ましい。このようにすることで、スペースの有効利用を図って、設置室を設けることができ、また、ローソク立て、線香立などを風雨に曝さずに保管できる。
【００６３】
［実施形態５、６］
図１４の水鉢・花立セット２３Ｄは、花立２３Ａと水鉢２２とを一体にしたものである。また、図１５の水鉢・花立セット２３Ｅは、花立２３Ｂと水鉢２２とを一体にしたものである。なお、図１４は実施形態５に係る水鉢・花立セットの斜視図である。なお、両者に共通する構成には同一符号を付して重複説明を省略する。
【符号の説明】
【００６４】
１０                  お墓
１１                  外柵
１２                  踏石
１３                  門柱
１４                  墓石
１４Ａ                納骨室
１５                  地廻石
１６                  下石台
１７                  上石台
１８                  竿石
１９                  墓誌
２０                  物置台
２１                  用具格納庫
２３、２３Ａ、２３Ｂ  花立
２３Ｄ、２３Ｅ        水鉢・花立セット
２４、２４Ａ          花立石
２４ｆ                  頂部
２５                  落し込み穴
２７、２７Ａ            蓋体
２８                    凹み穴
３１、３１Ａ          花立筒
３２、３２Ａ          連結部材
３４                    扉
【図１】
0003166281.tif 000003
【図２】
0003166281.tif 000004
【図３】
0003166281.tif 000005
【図４】
0003166281.tif 000006
【図５】
0003166281.tif 000007
【図６】
0003166281.tif 000008
【図７】
0003166281.tif 000009
【図８】
0003166281.tif 000010
【図９】
0003166281.tif 000011
【図１０】
0003166281.tif 000012
【図１１】
0003166281.tif 000013
【図１２】
0003166281.tif 000014
【図１３】
0003166281.tif 000015
【図１４】
0003166281.tif 000016
【図１５】
0003166281.tif 000017
【図１６】
0003166281.tif 000018